(57)【要約】      （修正有）【課題】折り曲げや引っ張りに強いＲＦＩＤタグを提供する。【解決手段】ＩＣチップの収容室３１と、取付対象物への取付部３２が軟質樹脂で一体成形されているＲＦＩＤタグ１である。ＩＣチップ２が前記収容室３１に移動自在の状態で封入されていること、及び、前記ＩＣチップの収容室３１の内側表面に微細な凹凸があることを特徴とする。前記収容室３１は例えば円筒状である。封緘具と一体化させることもできる。前記ＩＣチップ２のチップ本体及びリード線部分をカバーする範囲において、前記収容室に補強材を取り付けることもできる。【選択図】図２
2008234635.tif 000002
【特許請求の範囲】
【請求項１】
ＩＣチップの収容室（３１，３１Ａ，３１Ｂ）と、取付対象物（４）への取付部（３２，３２Ａ，３２Ｂ）が軟質樹脂で一体成形されており、
前記ＩＣチップ（２，２Ａ）が前記収容室（３１，３１Ａ，３１Ｂ）に移動自在の状態で封入されていること、及び、
前記ＩＣチップの収容室（３１，３１Ａ，３１Ｂ）の内側表面に微細な凹凸があること
を特徴とするＲＦＩＤタグ（１，１Ａ，１Ｂ）。
【請求項２】
前記ＩＣチップ（２，２Ａ）が細長い細片状であり、前記収容室（３１，３１Ａ，３１Ｂ）が円筒部である請求項１記載のＲＦＩＤタグ。
【請求項３】
前記取付対象物（４）への取付部（３２，３２Ａ，３２Ｂ）が、前記収容室（３１，３１Ａ，３１Ｂ）の延長平面部である請求項１又は２に記載のＲＦＩＤタグ。
【請求項４】
封緘具（６）と一体化させた請求項１ないし３のいずれかに記載のＲＦＩＤタグ。
【請求項５】
前記ＩＣチップ（２）のチップ本体（２１）及びリード線部分（２２）をカバーする範囲において、前記収容室（３１Ｂ）に補強材（７，７Ｃ，７Ｄ）を取り付けた請求項１ないし４のいずれかに記載のＲＦＩＤタグ。
【請求項６】
前記補強材（７）が断面Ｃ字型で、自由先端部（７１，７２）同士を係合させて地獄ばめを形成するものであり、前記収容室（３２Ｂ）の外側に取り付けたものである請求項５記載のＲＦＩＤタグ。
【請求項７】
前記補強材（７）を取り付け、位置を固定するため、前記取付部（３２Ｂ）にスリット（３４）を設けた請求項３，５，６のいずれかに記載のＲＦＩＤタグ。
【請求項８】
前記補強材（７Ｃ，７Ｄ）が前記収容室（３２Ｃ，３２Ｄ）の内側に取り付けたものであり、前記収容室の内側には前記補強材（７Ｃ，７Ｄ）の進入は許容するが脱落は阻止する手段が設けられている請求項５記載のＲＦＩＤタグ。
【請求項９】
前記収容室の内側に設けた、前記補強材（７Ｃ）の進入は許容するが脱落は阻止する手段が、前記収容室（３２Ｃ）の内側に設けられた末広がりのテーパー部（３５）と、このテーパー部の終点段部（３７）である請求項８記載のＲＦＩＤタグ。
【請求項１０】
前記収容室の内側に設けた、前記補強材（７Ｄ）の進入は許容するが脱落は阻止する手段が、前記収容室（３２Ｄ）の内側に設けられた、入口側の第１溝（３８）、出口側の第２溝（３９）、中央の第３溝（４０）であり、３つの溝の直径が第３溝４０＞第１溝３８≧第２溝３９の関係にある請求項８記載のＲＦＩＤタグ。
【発明の詳細な説明】
【技術分野】
【０００１】
本発明はＲＦＩＤタグに関する。
【背景技術】
【０００２】
ＲＦＩＤタグは、物体の識別に利用される微小な無線ICチップを組み込んだタグである。無線ICチップには、自身の識別コードなどの情報が記録されており、電波を使って管理システムと情報を送受信する能力をもつので、産業界においてバーコードに代わる商品識別・管理技術として研究が進められている。最近は、それに留まらず社会のIT化・自動化を推進する上での基盤技術として注目が高まっている。
【０００３】
ＲＦＩＤタグの形状は、ラベル型、カード型、コイン型、スティック型など様々であり、用途に応じて選択可能である。通信距離は、数mm程度のものから数mのものがあり、これも用途に応じて使い分けられている。
【０００４】
無線ICチップを商品等の管理物に取り付けるときに直接取り付けることは困難で、普通何らかの包囲物に収容する必要がある。
【０００５】
例えば、下記特許文献１では、ＩＣチップ等の記録担体を第１樹脂層及び第２樹脂層の間に挟持、密閉した状態で記録担体ユニットを構成する。そして、この記録担体ユニットを、第１樹脂層側から各種情報が表示された基材の片面に対して配設している。
【特許文献１】特開２００５−３３１９１７
【発明の開示】
【発明が解決しようとする課題】
【０００６】
上記従来技術では、ＩＣチップ等の記録担体は、水や外圧からは十分保護されるが、折り曲げに対しては必ずしも強いものではなかった。記録担体が樹脂層の間に挟持、密閉されているので、折り曲げにより、ＩＣチップも強引に曲げられて配線部が破断してしまうことがあったからである。また、ＩＣチップをシリコン樹脂等の軟質樹脂の容器に封入しても、樹脂が引っ張られるときに樹脂の粘着性によりＩＣチップも同様に伸び縮みし、アンテナ部が断線したり、縮んだまま復元しなかったりして、やはり損傷することがある。
【０００７】
本発明は、この問題点に鑑みて行われたもので、折り曲げや引っ張りに強いＲＦＩＤタグを提供することを目的とする。
【課題を解決するための手段】
【０００８】
本発明のＲＦＩＤタグは、ＩＣチップの収容室と、取付対象物への取付部が軟質樹脂で一体成形されており、ＩＣチップが前記収容室に移動自在の状態で封入されていることこと、及び、前記ＩＣチップの収容室の内側表面に微細な凹凸があることを特徴とする。
【発明の効果】
【０００９】
本発明のＲＦＩＤタグは、ＩＣチップが収容室に移動自在の状態で封入されており、しかも、前記ＩＣチップの収容室の内側表面に微細な凹凸があってザラザラしているので、ＲＦＩＤタグを曲げても、ＩＣチップは収容室内で自由移動するだけで、破壊されることはない。
【発明を実施するための最良の形態】
【００１０】
前記したように、ＲＦＩＤタグの形状は、ラベル型、カード型、コイン型、スティック型など様々ある。それに応じて、ＩＣチップの収容室の形状も異なってくる。例えば、スティック型のＲＦＩＤタグにおける収容室は、円筒状が好ましい。ラベル型、カード型のＲＦＩＤタグにおける収容室は、薄い直方体状が好ましい。コイン型のＲＦＩＤタグにおける収容室は、低い円柱状が好ましい。
【００１１】
ＩＣチップの収容室の内側表面には微細な凹凸を設けてザラザラさせる。それにより、ＩＣチップと収容室が付着するのを防ぐことができるからである。本明細書において、「微細な凹凸」というのは、例えば、サンドショットで金型に微細な凹凸を設けて成形したようなもので、表面に人の指で感じられる程度のザラザラした表面が形成されて、滑らかでないことを意味する。
【００１２】
取付対象物への取付部は、前記収容室の延長部であればよく、平面部であることが好ましい。取付対象物へ取り付けるには、この平面部を利用して糸で縫い付けることができる。または、この平面部に孔を開け、封緘具などを介して固定することもできる。
【００１３】
ＩＣチップの収容室と、取付対象物への取付部を形成する軟質樹脂としては、柔軟性や屈曲性に富んだシリコン樹脂やウレタン樹脂が好ましい。厚みは０．５〜２ｍｍ程度が好ましい。
【００１４】
好ましくは、前記ＩＣチップのチップ本体及びリード線部分をカバーする範囲において、前記収容室に補強材を取り付ける。そうすることにより、折り曲げ等により破損しやすいリード線の部分を保護することができる。
【００１５】
前記補強材としては、例えば断面Ｃ字型で、自由先端部同士を係合させて地獄ばめを形成するものとすることができる。この補強材は、前記収容室の外側に取り付けられる。
【００１６】
この補強材を取り付け、位置を固定するため、前記取付部にスリットを設けるのが好ましい。
【００１７】
前記補強材の別の構成として、前記収容室の内側に取り付けるものとすることができる。その場合、前記収容室の内側には前記補強材の進入は許容するが脱落は阻止する手段を設ける必要がある。
【００１８】
前記収容室の内側に設けた、前記補強材の進入は許容するが脱落は阻止する手段としては、次のようなものがある。
（１）前記収容室の内側に設けられた末広がりのテーパー部と、このテーパー部の終点段部であるもの。
（２）前記収容室の内側に設けられた、入口側の第１溝、出口側の第２溝、中央の第３溝であり、３つの溝の直径が、第３溝４０＞第１溝３８≧第２溝３９の関係にあるもの。
【００１９】
以下、添付の図面に基づいて、本発明の実施例を説明する。
【実施例１】
【００２０】
以下、添付の図面に基づき、本発明の実施例を説明する。
【００２１】
図１は、本発明の実施例１に係るＲＦＩＤタグ１の正面図、図２は、図１の２−２線断面図である。
【００２２】
これらの図から分かるように、細長い細片状の無線ＩＣチップ２がスティック型のＲＦＩＤタグ包囲具３の中に収納されている。ＩＣチップ２は、チップ本体２１と、そこから延びるリード線２２、タグ包囲具３の主要部を占めるアンテナ２３を有する。折り曲げ等により破損しやすいのはリード線２２の部分である。
【００２３】
ＲＦＩＤタグ包囲具３は、図１及び図２に示すように、右半分が円筒部３１で、左半分が平面部３２であり、両者が一体化している。無線ＩＣチップは円筒部３１に自由状態で封入されている。無線ＩＣチップ２は、円筒部３１内では長手方向及び回転方向に移動が自由であるが、比較的に狭い円筒部３１内であるので、大きな移動はできない。
【００２４】
ＲＦＩＤタグ包囲具３は、シリコン樹脂製で厚み約１ｍｍを有し、衝撃吸収力及び折り曲げに対する屈曲性を有する。
【００２５】
円筒部３１の内面は小さな凹凸から成るざらざらした表面を有する。このようにすることにより、シリコンの粘着性により無線ＩＣチップ２と円筒部３１の内面が付着することを避けることができる。円筒部３１の内側表面をざらざらにするには、予め成型用の金型にサンドショットで凹凸を付けておけばよい。
【００２６】
このＲＦＩＤタグ１は、片方が開放された円筒部３１に無線ＩＣチップ２を挿入した後、開放端部に蓋をすることにより製造される。
【００２７】
図３は、ＲＦＩＤタグ１を取付対象物４に取り付けた状態を示す斜視図である。取付対象物４、例えば、衣服に対してＲＦＩＤタグの平面部３２を糸５で縫い付けることにより、取り付けられる。
【実施例２】
【００２８】
図４は、実施例２に係るＲＦＩＤタグ１Ａを封緘具６に取り付けた状態の正面図である。
【００２９】
実施例１と異なるのは、ＲＦＩＤタグ１Ａの平面部３２Ａが比較的に広く、この平面部３２Ａの両端近傍に取付孔３３が１個ずつ開けられていることである。この孔を利用して封緘具６が取り付けられている。封緘具６でリングを形成した状態を図５に示している。このようにＲＦＩＤタグ１Ａを曲げても、ＩＣチップ２Ａは円筒部３１Ａ内で自由移動するので、破壊されることはない。
【実施例３】
【００３０】
図６〜８は、本発明の実施例３に係るＲＦＩＤタグであり、図６は斜視図、図７は実施例３で使用するカバーの側面図、図８は使用状態を示す参考図である。
【００３１】
実施例３が、実施例１及び２と異なるのは、リード線部分を保護するために透明カバーからなる補強材７が取り付けられていることである。前記したとおり、リード線部分が特に破損しやすい。この部分の破損を防ぐため、円筒部３１Ｂに透明カバー７を外側から取り付けている。透明カバー７を取り付け、その位置を固定して脱落を防ぐために、平坦部３２Ｂに透明カバー７通過用のスリット３４が設けられている。
【００３２】
透明カバー７は、合成樹脂製であり、図７に示すように、断面がＣ字型である。自由先端部７１，７２には相互に係合する係合部が設けられている。前記スリット３４を通過させて透明カバー７を取り付け、係合部同士を指で押し付けると、いわゆる地獄ばめとなって、円筒が完成する。透明カバー７の長さは、リード線部分２２（図１参照）をカバーする長さを有することが必須であり、通常１〜３ｃｍ程度である。なお、カバーは透明である必然性はないが、ＩＣチップ確認のためには透明又は半透明であることが好ましい。
【００３３】
完成状態では、透明カバー７がリード線部分２２（図１参照）に相当する円筒部を補強して曲げづらくなり、図８に示すように、折り曲げてもリード線部分２２が破損することはない。
【００３４】
その他の点は実施例１と同じであるので、実施例１の符号に「Ｂ」を付してその説明を省略する。
【実施例４】
【００３５】
図９、１０は、本発明の実施例４に係るＲＦＩＤタグであり、図９は斜視図、図１０は実施例４で使用する円筒部の例、２種類の断面図である。
【００３６】
実施例４が実施例３と異なるのは、リード線部分の補強材７Ｃ、７Ｄが円筒部３２Ｃの内側に取り付けられていることである。
【００３７】
この実施例の透明カバー７Ｃ、７Ｄは、円筒部３２Ｃの内側に収容するので、当然のことながら実施例３のときよりも直径は短くしなければならない。透明カバー７Ｃの構造は実施例３（図７参照）と同じでもよいが、この実施例４では外から被せる作業がないので、断面Ｃ字型でなく、最初から円筒体でよい。透明カバー７Ｃ、７Ｄを円筒部３２Ｃの内側に収容する方法を図１０に示す。
【００３８】
図１０（ａ）では、円筒部３２Ｃの前半部には奥へ向かうに従って直径が拡大する第１溝３５があり、後半部には細く平行な第２溝３６があり、両者の間に段部３７が形成されている。透明カバー７Ｃは前半部の入口から圧入し、段部３７まで押し込む。透明カバー７Ｃは、前半部にはテーパーが付されているので、前へは進むことができるが、後ずさりはできない。透明カバー７Ｃは段部３７まで押し込められてその位置で留まる。
【００３９】
図１０（ｂ）では、前半の平行第１溝３８と、後半の平行第２溝３９の間に、平行の第３溝４０が形成されている。第１溝３８は透明カバー７Ｄの圧入を許容する程度の直径を有し、第２溝３９は透明カバー７Ｄのそれ以上の移動を阻止する程度の直径を有し、第３溝４０は、透明カバー７Ｄが自由に移動できる程度の直径を有する。したがって、３つの溝の直径は、第３溝４０＞第１溝３８≧第２溝３９の関係にある。
【００４０】
透明カバー７Ｄは前半部の入口から圧入し、第３溝４０まで押し込む。透明カバーは、第３溝４０の前後では段差があるので、そこから先へは移動できない。
【００４１】
その他の点は実施例１と同じであるので、実施例１の符号に「Ｃ」又は「Ｄ」を付してその説明を省略する。
【図面の簡単な説明】
【００４２】
【図１】本発明の一実施例に係るＲＦＩＤタグの正面図である。
【図２】図１の２−２線断面図である。
【図３】ＲＦＩＤタグを取付対象物に取り付けた状態を示す斜視図である。
【図４】第２実施例に係るＲＦＩＤタグを封緘具に取り付けた状態の正面図である。
【図５】第２実施例において、封緘具でリングを形成した状態を示す斜視図である。
【図６】本発明の実施例３に係るＲＦＩＤタグの斜視図である。
【図７】本発明の実施例３に係るＲＦＩＤタグにおいて使用するカバーの側面図であり、（ａ）は接合前、（ｂ）は接合後である。
【図８】本発明の実施例３に係るＲＦＩＤタグの使用状態を示す参考図である。
【図９】本発明の実施例４に係るＲＦＩＤタグの斜視図である。
【図１０】（ａ）（ｂ）は、本発明の実施例４に係るＲＦＩＤタグで使用する円筒部の例、２種類の断面図である。
【符号の説明】
【００４３】
１     タグ
１Ａ   タグ
２     ＩＣチップ
２Ａ   ＩＣチップ
３     タグ包囲具
３１   円筒部
３１Ａ 円筒部
３２   平面部
３２Ａ 平面部
４     取付対象物
５     糸
６     封緘具
７     補強材（透明カバー）
７Ｃ   補強材（透明カバー）
７Ｄ   補強材（透明カバー）
【図１】
2008234635.tif 000003
【図２】
2008234635.tif 000004
【図３】
2008234635.tif 000005
【図４】
2008234635.tif 000006
【図５】
2008234635.tif 000007
【図６】
2008234635.tif 000008
【図７】
2008234635.tif 000009
【図８】
2008234635.tif 000010
【図９】
2008234635.tif 000011
【図１０】
2008234635.tif 000012